(57)【要約】【課題】機器と主回路を断路するためには、別の昇降装置とメンテナンススペースが必要であり、断路のために昇降装置の固定板取り外しする際ガス圧の差によって容器内の機器が外部に飛び出してくる危険性があった。また、各相毎に断路装置を必要とするものでは、装置自体が大型化し、さらに断路操作に三相分の時間を要することになる。【解決手段】各相の電気機器と主回路間の接断操作を密封容器の外部から行う断路装置において、ネジ機構の操作軸、密封容器を気密に且つ出入り自在に貫通した気密摺動ロッド、気密摺動ロッドと操作軸とを連結する外部連結絶縁板、気密摺動ロッドを連結すると共に操作軸の進退操作により駆動される内部連結絶縁板、及び各相の電気機器に設けた接触子とこの接触子と対応して設けた可動導体とにより構成され、操作軸の操作で電気機器と各主回路との接断を同時に行う断路部を備えたものである。【選択図】図１
2008277138.tif 000002
【特許請求の範囲】
【請求項１】
密封容器内に配置され各相の電気機器と主回路間の接続及び断路操作を上記密封容器の外部から行うガス絶縁開閉装置の断路装置において、上記密封容器に突設されネジ部を有する筒体に、進退自在に螺入された操作軸、この操作軸と平行して設けられ上記密封容器の側壁を気密に且つ出入り自在に貫通した複数の気密摺動ロッド、上記密封容器外において、複数の上記気密摺動ロッドの外端部と上記操作軸の外端部とを連結する外部連結絶縁板、上記密封容器内において、複数の上記気密摺動ロッドの内端部を連結すると共に上記操作軸の進退操作により上記気密摺動ロッドを介し駆動される内部連結絶縁板、及び
上記各相の電気機器に設けた接触子と、この接触子と対応して上記内部連結絶縁板に設けた可動導体とにより構成され、上記操作軸の操作で上記各相の電気機器と上記各主回路との接断を同時に行う断路部を備え、上記接触子には、この接触子を上記可動導体の接触方向に常時付勢し且つ各構成部材の寸法公差から生じる集積公差を吸収するバネを設けたことを特徴とするガス絶縁開閉装置の断路装置。
【請求項２】
上記電気機器は、計器用変圧器、又は避雷器であることを特徴とする請求項１記載のガス絶縁開閉装置の断路装置。
【請求項３】
上記断路部は、上記各主回路に設けた接触子である一方の接点と、この接触子と対応して上記内部連結絶縁板に設けた各相の避雷器の端部である他方の接点とにより構成され、上記操作軸の操作で上記各相の避雷器と上記各主回路との接断を同時に行うことを特徴とする請求項１記載のガス絶縁開閉装置の断路装置。
【請求項４】
上記操作軸は、汎用のボルトを用いたことを特徴とする請求項１又は請求項３記載のガス絶縁開閉装置の断路装置。
【請求項５】
上記接触子のバネは、接圧バネで構成したことを特徴とする請求項１又は請求項３記載のガス絶縁開閉装置の断路装置。
【請求項６】
上記操作軸は、上記密封容器の外壁に設けたストッパーで抜け止めされること特徴とする請求項１又は請求項３記載のガス絶縁開閉装置の断路装置。
【請求項７】
上記可動導体と上記主回路は、可とう導体を用いて接続したことを特徴とする請求項１記載のガス絶縁開閉装置の断路装置。
【請求項８】
上記気密摺動ロッドと上記内部連結絶縁板は、絶縁ロッドを介し連結したこと特徴とする請求項１記載のガス絶縁開閉装置の断路装置。
【発明の詳細な説明】
【技術分野】
【０００１】
この発明は、ガス絶縁開閉装置において、密封容器内に設置する計器用変圧器、避雷器などの機器と主回路との接続及び断路操作を密封容器の外部から行う断路装置に関するものである。
【背景技術】
【０００２】
従来のガス絶縁開閉装置においては、開閉装置に生じる異常電圧を検知し、開閉装置本体及び負荷を保護するために、計器用変圧器及び避雷器が設置されている。ガス絶縁開閉装置を設置する際は、運転に先立って耐電圧試験を実施し、開閉装置本体の電気的絶縁性能の確認が行われる。このとき、計器用変圧器及び避雷器には試験電圧が印加されないように主回路から切り離して耐電圧試験を実施する。
計器用変圧器及び避雷器と主回路を切り離す手段として、例えば、特許文献１に示すように機器を操作するための操作軸を密封容器外部に突出させ、接続及び断路を行う際は、容器外部に設けた昇降装置を操作軸に接続し且つ三相一括して操作を行うものが提案されており、また、特許文献２には、各相毎に設けられた把手の捻回によりネジ機構の駆動軸を進退させ断路装置の接続及び断路を行うものが示されている。
【０００３】
【特許文献１】特許第３８４９１６５号公報
【特許文献２】実開平３−１６６２９号公報
【発明の開示】
【発明が解決しようとする課題】
【０００４】
しかしながら、特許文献１に記載のものでは、開閉装置本体に断路装置を持たないため、開閉装置自体は小型化できるが、機器と主回路を断路するために、別の昇降装置が必要になり、昇降装置を取り付けるためのメンテナンススペースが必要となる。また、機器を断路するために固定板を取り外した際にガス圧の差によって容器内の機器が外部に飛び出してくる危険性があった。また、特許文献２に記載のものでは、各相毎に断路装置が必要になるため、開閉装置自体が大型化し、さらに断路操作に三相分の時間を要することになる。
この発明は、ガス絶縁開閉装置において、計器用変圧器、避雷器等の機器と主回路を安全かつ短時間で切り離すことができ、かつ安価で小型化した断路装置の提供を目的とするものである。
【課題を解決するための手段】
【０００５】
この発明に係わるガス絶縁開閉装置の断路装置は、密封容器内に配置され各相の電気機器と主回路間の接続及び断路操作を上記密封容器の外部から行うガス絶縁開閉装置の断路装置において、上記密封容器に突設されネジ部を有する筒体に、進退自在に螺入された操作軸、この操作軸と平行して設けられ上記密封容器の側壁を気密に且つ出入り自在に貫通した複数の気密摺動ロッド、上記密封容器外において、複数の上記気密摺動ロッドの外端部と上記操作軸の外端部とを連結する外部連結絶縁板、上記密封容器内において、複数の上記気密摺動ロッドの内端部を連結すると共に上記操作軸の進退操作により上記気密摺動ロッドを介し駆動される内部連結絶縁板、及び上記各相の電気機器に設けた接触子と、この接触子と対応して上記内部連結絶縁板側に設けた可動導体とにより構成され、上記操作軸の操作で上記各相の電気機器と各主回路との接断を同時に行う断路部を備え、上記接触子には、この接触子を上記可動導体の接触方向に常時付勢し且つ各構成部材の寸法公差から生じる集積公差を吸収するバネを設けたものである。
【発明の効果】
【０００６】
この発明のガス絶縁開閉装置の断路装置によれば、リンク系を用いず直線駆動とすることで、部品点数の削減を通じ、組立作業が容易となり、製品の小型化が実現できることと併せて、製造コストの大幅低減が図れる効果を有する。
ひとつの操作軸で三相一括操作できるため、機器を断路及び接続する際の作業時間が短縮でき計器用変圧器、避雷器等の機器と主回路を安全かつ短時間で切り離すことができる。また、ネジ機構を用いた駆動のため、ガス圧力の差によって密封容器内の機器の飛び出しの危険性がなく、操作時の安全性も確保することができる。
さらに、接触子は、構成部品の寸法公差から生じる集積公差を吸収する構成となっているため、調整レスで組立作業が可能となる。
【発明を実施するための最良の形態】
【０００７】
以下、図面に基づいて、この発明の各実施の形態を説明する。
なお、各図間において、同一符号は同一あるいは相当部分を示す。
【０００８】
実施の形態１．
図１〜図４は、この発明の実施の形態１におけるガス絶縁開閉装置内に設置した計器用変圧器の断路装置の構成を示し、図１は、断路装置の入状態を示す側断面図、図２は、断路装置の切状態を示す側断面図、図３は、接触子の要部を示す断面図、図４は、図１を上方から見た図で、断路装置の一部を省略して示した断面図である。
【０００９】
以下図１〜図４に基いて実施の形態１に係わるガス絶縁開閉装置の断路装置について説明する。
図１において、密封容器１１内には、計器用変圧器１と主回路（以下「主回路導体」という）２が設置されている。
図１に示すように断路装置が入状態においては、主回路導体２は、可動導体４、この可動導体４の接離動作を許容する可とう導体５、及び接触子３を介して計器用変圧器１と接続され、断路部は一方の接点である可動導体４と他方の接点である接触子３とにより構成される。
可動導体４は、内部連結絶縁板（以下「三相連結絶縁板」という）６に取り付けられており、三相連結絶縁板６は２本の絶縁ロッド７と気密摺動ロッド８を介して、後述するように密封容器１１の外部から操作可能な構成になっている。
三相連結絶縁板６には、図４に示すように３個の可動導体４が取り付けられており、且つ２本の絶縁ロッド７を連結している。この絶縁ロッド７には気密摺動ロッド８が連結され、その外端部側は密封容器１１の側壁を気密に且つ出入り自在に貫通している。
気密摺動ロッド８の各外端部は、密封容器１１の外側において外部連結絶縁板１０によって連結され、さらに外部連結絶縁板１０に連結された操作軸９により駆動される。
密封容器１１には、雌ネジ部を有する筒体（以下「雌ネジロッド」という）１３が気密摺動ロッド８と平行して突設され、操作軸９はこの雌ネジロッド１３に進退自在に螺入されている。
９ａは、操作軸９に固着された鍔部で、この鍔部を外部連結絶縁板１０の透孔に遊嵌し且つ透孔縁部に係合することにより、操作軸９は外部連結絶縁板１０と共動することができる。
したがって、操作軸９を時計方向又は反時計方向に回転操作し直線駆動させると、外部連結絶縁板１０、気密摺動ロッド８、絶縁ロッド７など一体化された機構を介して３個の可動導体４を三相一括して直線駆動させることができる。なお、操作軸９には、汎用のボルトが使用されており、汎用工具のみで操作が可能となる。
また、操作軸９は、密封容器１１の外壁に設けたストッパー１２で抜け止めされ、回動操作で操作軸９が進退する動作を規制している。
【００１０】
計器用変圧器１に設けた接触子３は、図３に示すように接点３ａ、接圧バネ３ｂ、バネガイド３ｃ、接圧バネ受け３ｄから構成されており、この接触子３と対応する可動導体４とによって断路装置（接点）が構成され、操作軸９の操作で計器用変圧器１と主回路導体２との接断が同時に行われる。なお、密封容器１１には、少なくとも３個以上の接点が設けられている。
接触子３は、可動導体４の接触方向に常時付勢するよう構成されているので、可動導体４と接点３ａとの接触を確実にするための接圧を与えると共に、特に接圧バネ３ｂは密封容器１１、計器用変圧器１及びその他の構成部品の寸法公差から生じる集積公差を吸収、許容する構成となっているため、調整レスで組立作業が可能となる。
【００１１】
次に図１の入り状態から図２の切状態となる動作について説明する。
図１の断路装置入状態から、操作軸９を反時計方向に回転させることにより操作軸９を外方へ直線駆動させると、外部連結絶縁板１０、気密摺動ロッド８を介して密封容器１１内の３個の可動導体４が三相一括で直線駆動され、図２の断路装置切状態となる。
このとき外部連結絶縁板１０がストッパー１２と接触する位置まで断路装置を駆動させることができ、この状態でも操作軸９と雌ネジロッド１３は螺合しているため、ガス圧の差によって生じる力がストッパー１２及び操作軸９を操作する人に加わることなく、安全な操作が可能となる。
接触子３は、可動導体４と接点３ａとの接触を確実にするための接圧を与えると共に、密封容器１１、計器用変圧器１及びその他の構成部品の寸法公差から生じる集積公差を吸収する構成となっているため、調整レスで組立作業が可能となる。
【００１２】
実施の形態２．
図５及び図６は、この発明の実施の形態２におけるガス絶縁開閉装置内の避雷器の断路装置の構成を示し、図５は、断路装置の入状態を示す上断面図、図６は、断路装置の切状態を示す上断面図である。
図５及び図６において、実施の形態２における断路部は、密封容器１１内の各主回路導体２に設けた接触子３である一方の接点と、この接触子と対応して三相連結絶縁板６に設けた各相の避雷器１４の端部である他方の接点とにより構成され、３個の避雷器１４は、三相連結絶縁板６に連結された２本の気密摺動軸８を介して密封容器１１の外部から操作可能な構成になっている。
密封容器１１外部の構成及び接触子３は、実施の形態１と同様で、動作も実施の形態１と同様であるため説明を省略する。
この実施の形態２においても実施の形態１と同様が期待できる。
【図面の簡単な説明】
【００１３】
【図１】この発明の実施の形態１におけるガス絶縁開閉装置内の計器用変圧器の断路装置において、断路装置の入状態の構成を示す側断面図である。
【図２】この発明の実施の形態１におけるガス絶縁開閉装置内の計器用変圧器の断路装置において、断路装置の切状態の構成を示す側断面図である。
【図３】この発明の実施の形態１における接触子部の要部を示す断面図ある。
【図４】図１を上方から見た図で、断路装置の一部を省略して示した断面図である。
【図５】この発明の実施の形態２におけるガス絶縁開閉装置に内設された避雷器の断路装置において、断路装置の入状態を上方から見た一部断面で示す平面図である。
【図６】この発明の実施の形態２におけるガス絶縁開閉装置に内設された避雷器の断路装置において、断路装置の切状態を上方から見た一部断面で示す平面図である。
【符号の説明】
【００１４】
１  計器用変成器                        ２  主回路（主回路導体）
３  接触子                            ３ａ  接点
３ｂ  接圧バネ                          ３ｃ  バネガイド
３ｄ  接圧バネ受け                      ３ｅ  固定用ネジ
４  可動導体                            ５  可とう導体
６  内部連結絶縁板（三相連結絶縁板）    ７  絶縁ロッド
８  気密摺動軸                          ９  操作軸
１０  外部連結絶縁板                    １１  密封容器
１２  ストッパー                        １３  筒体（雌ネジロッド）
１４  避雷器。
【図１】
2008277138.tif 000003
【図２】
2008277138.tif 000004
【図３】
2008277138.tif 000005
【図４】
2008277138.tif 000006
【図５】
2008277138.tif 000007
【図６】
2008277138.tif 000008